(57)【要約】【課題】  パチンコ店等の遊技場に飾り付ける異形装飾パネルを簡単に固定保持することのできる装飾装置を提供すること。【解決手段】  パチンコ台の機枠等に固定される保持具と、基部が前記保持具に着脱自在に保持される装飾パネルとからなる装飾装置であって、前記保持具は、機枠等に対する固定手段が設けられたベースと該ベースから所定間隔で平行に起立する２枚のプレートからなり、該プレートの上下中間部には当該２枚のプレートを互いに連結する水平な支持軸が設けられ、前記パネルの基部には、下端部に前記ベース上に載置される支持面と、前記支持軸に下側から係合する上に開いた凹部が形成されている。【選択図】      図３
2006255183.tif 000002
【特許請求の範囲】
【請求項１】
機枠等に固定される保持具と、基部が前記保持具に着脱自在に保持される装飾パネルとからなり、前記保持具は、機枠等に対する固定手段が設けられたベースと該ベースから所定間隔で平行に起立する２枚のプレートからなり、該プレートの上下中間部には当該２枚のプレートを互いに連結する水平な支持軸が設けられ、前記パネルの基部には、前記ベース上に載置される支持面と、前記支持軸が嵌合する上に開いた凹部とが形成されていることを特徴とする装飾装置。
【請求項２】
プレートの基部の下部には、前記凹部の下側の前記支持面から端縁部にかけて丸み付けが施されている請求項１に記載の装飾装置。
【発明の詳細な説明】
【技術分野】
【０００１】
本発明は、遊技場、食堂、喫茶店、商店等に設置して、華やかさや賑やかさを演出するに適した装飾装置に関するものである。
【背景技術】
【０００２】
パチンコ店等の遊技場では、のぼり、旗、ペナント、プレート、パネル、人形、置物、幕等の装飾具でホール内を賑やかに装飾することがしばしば行われている。例えば、クリスマスが近くなるとクリスマスツリーやサンタクロース人形が飾られ、正月には大型の扇子や迎春パネル等が飾られことが多い。
【０００３】
これらの他に、パチンコ店等の遊技場用のホールの装飾としては、例えば特許文献１及び特許文献２に記載されているものがある。
【０００４】
【特許文献１】特開２００２−３６０９０８号公報
【特許文献２】特開２００４−８５８９号公報
【０００５】
上記特許文献１に記載のものは、パチンコ店等のホールの諸設備に、装飾シート、ＬＥＤ表示、ＴＶディスプレイ、映像投影装置等の表示内容が変更可能な表示媒体を用いて、静止画像または動画像による表示または装飾を施すものである。また、上記特許文献２に記載のものは、パチンコ台等が設置される遊技島設備であって、有機エレクトロルミネッセンス材料（ＥＬ材料）に電圧を印加させて発光させることにより表示態様を変化させることが可能な有機ＥＬパネルの表示領域を、前記遊技機の上方を被覆する幕板に設けたものである。
【発明の開示】
【発明が解決しようとする課題】
【０００６】
上記特許文献１または特許文献２に記載のものは、電気的に表示内容が変更可能な情報または模様を表示するもので、各遊技機の装飾としては、便利なものであるが、遊技機等に組み込まれているため、新装開店、クリスマス、正月等の短期間の催しにおけるホール内のデコレーションには適していないものである。一方、催し用の装飾として、広く採用されている装飾手段、例えば、上記した旗、のぼり、装飾パネル等は、何らかの支持手段でホール等に飾り付ける必要がある。従来、旗、のぼり等は、それを取り付けた竿の基部を筒状の固定金具に挿入して取り付けているので、比較的簡単に飾りつけることができる。また、ポスターやパネルは、ホールの壁面等に貼り付けるだけでよいので、これも比較的簡単に飾り付けることができた。しかしながら、異形の装飾パネル、例えば、空間に伸び出す細長いアーチ状のパネル等は、壁に貼り付けるわけにはいかないので、その支持方法が難しかった。
【０００７】
また、この種のパネルは、他のデザインのものと時々取り替えて、飽きがこないようにするのが望ましいが、従来の装置では、パネルの保持方法自体が難しかったので、これを簡単に交換することができないという問題点があった。そこで本発明は、一方の端部を基部として、他方の先端部が例えばアーチ状に伸び出すような異形のパネルを壁面を利用せずに飾る場合でも、比較的簡単に飾り付けることができ、しかも交換が容易な装飾装置を提供することを課題としている。
【課題を解決するための手段】
【０００８】
上記課題を解決するため、本発明は次のような構成を採用した。すなわち、請求項１に記載の本発明に係る装飾装置は、機枠等に固定される保持具と、基部が前記保持具に着脱自在に保持される装飾パネルとからなり、前記保持具は、機枠等に対する固定手段が設けられたベースと該ベースから所定間隔で平行に起立する２枚のプレートからなり、該プレートの上下中間部には当該２枚のプレートを互いに連結する水平な支持軸が設けられ、前記パネルの基部には、前記ベース上に載置される支持面と、前記支持軸が嵌合する上に開いた凹部とが形成されていることを特徴としている。また、請求項２に記載の装飾装置は、請求項１に記載の装飾装置において、前記プレートの基部の下部に、前記凹部の下側の前記支持面から端縁部にかけて丸み付けが施されているものである。
【発明の効果】
【０００９】
請求項１に記載の本発明は、パネルを保持する保持具を遊技機の機枠やテーブル等、任意の構造物に固定して使用する。この保持具の２枚の板の間に所定の肉厚のパネルの基部を挿入し、該基部に形成されている凹部に２枚の板に差し渡されている支持軸を嵌合させるとともに、基部の下側に形成されている支持面がベース上に載置された状態とすると、該基部が支持軸と支持面とで固定され、回動しなくなる。このため、パネルを簡単に取り付けることができ、その交換も容易である。
【００１０】
また、請求項２に記載の装飾装置は、上記請求項１に記載の装飾装置において、前記パネルの基部における凹部の下側の支持面から端縁部にかけて丸み付けが施されているので、パネルの着脱を簡単かつ円滑に行うことができる。すなわち、パネルの取り付け時に、凹部の開口部が保持具の支持軸に対し横向きとなるように該パネルを両プレート間に挿入し、支持軸を凹部に嵌合した状態で、該凹部が上向きになるようにパネルを回転させるが、このとき、基部のコーナー部に丸み付けが施されているので、パネルのコーナー部がベース上面に引っ掛からず、円滑に回転させることができるのである。
【発明を実施するための最良の形態】
【００１１】
以下、図面に表された本発明の実施形態について説明する。この装飾装置１は、保持具２とパネル３とで構成される。保持具２は、平板からなるベース５を備え、該ベースの中央部に２枚のプレート６，６が所定の間隔で平行に立設されている。２枚のプレート６，６は、例えば透明なアクリル樹脂の板であり、その厚みｔは数ｍｍ、例えば３ｍｍ程度であり、両プレート６，６の間隔ｓは、パネル３の肉厚よりも僅かに大きい程度、例えば６ｍｍ程度である。
【００１２】
上記２枚のプレート６，６の間には、支持軸７が差し渡されて固定されている。支持軸７の材質もプレート６と同じであり、本実施形態ではアクリル樹脂のパイプ状丸棒である。支持軸７の外径は、パネル３の凹部に係合して該パネルを支持できる大きさであり、例えば１２ｍｍである。プレート６におけるこの支持軸７の上下位置は、プレート６の上下中間部の若干下寄りの位置であり、幅方向の位置は、プレート６の一方の端部に近い位置である。具体的には、支持軸７の位置は、例えば高さｈが４０〜６０ｍｍ、プレート６の端縁からの距離ｄはプレート６の幅の１／７〜１／８程度である。しかしながら、これらの寸法に限定されるものではない。
【００１３】
ベース５は例えば黒色に着色されたアクリル樹脂板であり、厚みは適度の強度が得られる厚み、例えば５ｍｍ程度である。このベース５には、固定手段として、複数の固定ボルト挿通用の穴９，…が開けられている。上記プレート６、ベース５等の材質としては、合成樹脂が最も好ましいが、場合によっては、金属、木材等を用いることも可能である。
【００１４】
図示例のパネル３は、上部が保持具の外にはみ出すような形状であり、その基部１０の端縁部は、概略カギ形の屈曲形状に成形され、上に開口する凹部１１が形成されている。また、基部１０の下面は水平な支持面１２となっている。前記凹部１１の幅ｗは、前記支持軸７が嵌合して安定支持される大きさとなっている。なお、基部１０の下側コーナー部、すなわち支持面１２と外側端縁部にかけて、適当な大きさ（パネルをベース５上で円滑に回転させることができる大きさ）の丸み付け１３が施されている。
【００１５】
この装飾装置１は、保持具２を例えばパチンコ台２０の機枠上面等（他の構造物の固定面でもよい）に設置して使用される。保持具２は、ボルト挿通用の穴９に挿入したボルトやビスでそれを載置している機枠等の面に固定する。この固定は比較的簡単である。
【００１６】
保持具２を固定したら、これにパネル３の基部を取り付ける。この取り付けは、パネル３の凹部１１の開口部１１ａを横向きにした状態で支持軸７に向けて両プレート６，６間に挿入し、支持軸７を凹部１１に嵌め込んだ状態としたのち、パネル３の自由端部を下向きに回転（図示例では９０度）させて、支持軸７が嵌合している凹部１１を上に向ける。支持面１２の端縁部には丸み付け１３が施されているので、凹部１１に支持軸７を嵌合した状態でも、基部下端部のコーナー部がベース５の上面に引っ掛かることなく、円滑に回転させることができる。この回転により、基部の下側の支持面１２がベース上に載った状態となり、該ベースと支持軸７によってパネル３が固定される。基部の水平な支持面１２がベース５の上面に載置され、凹部１１に嵌合した支持軸７によって端部が押えられた状態となるので、パネル３が片持梁状に延出していて、図３の時計回り方向の力が作用する場合でも、該パネルは回転せず、確実に固定されるのである。
【００１７】
また、パネル３を交換するときは、該パネル３の先端部を上向き（図３における反時計回り方向）に押し上げることにより、凹部１１の開口部を横向きとし、そのまま図３の右向きに引き出せばよい。すると、凹部１１に嵌合していた支持軸７が開口部から逸脱するので、パネル３を簡単に引き出すことができる。このため、デザインの異なるパネルを簡単に交換して、飽きがこないようにすることができる。
【００１８】
なお、図示例では、保持具２をパチンコ台の天井面に取り付けたが、他の遊技機に取り付けてもよく、建造物や他の大型装置の機枠やテーブルに取り付けてもよい。また、ベースの固定手段として、図示例ではボルトを採用しているが、簡単なバイスや針金等、他の固定方法で固定してもよい。さらに、図２に示すパネル３は、上が広がった異形の板状パネルであるが、図４に示すように、基部から斜め上向きに伸び出すアーチ状のパネル等、他の適当な形状のパネルを使用することもできる。
【産業上の利用可能性】
【００１９】
本発明に係る装飾装置は、合成樹脂等を材料として工業生産的に製造できるもので、遊技店等の装飾用に効果的に使用することができる。
【図面の簡単な説明】
【００２０】
【図１】装飾装置の保持具の斜視図である。
【図２】パネルの正面図である。
【図３】パネル取り付け状態を表す正面図である。
【図４】アーチ状パネルの装飾状態を表す外観図である。
【符号の説明】
【００２１】
１        装飾装置
２        保持具
３        パネル
５        ベース
６        プレート
７        支持軸
１０        基部
１１        凹部
２０        パチンコ台
【図１】
2006255183.tif 000003
【図２】
2006255183.tif 000004
【図３】
2006255183.tif 000005
【図４】
2006255183.tif 000006